(57)【要約】  この歯冠外アッタチメントは、歯の補綴物に結合される雌型部材６５と、自然歯またはインプラントに固定でき、かつ隣接部５１を有する雄型部材とを含んでいる。該隣接部は、両長手方向側面の各々に少なくとも一つの長手方向溝２０または長手方向リブとを有し、これらに、雌型部材の対応する長手方向リブ３０または長手方向溝が係合して確実な結合が行なわれる。隣接部は、また少なくとも一つのの咬合側に向いた支承面を有し、該支承面には雌型部材の支持面が支えられる。雌型部材はハウジングを含み、このハウジングと共に、雌型部材の長手方向リブ３０または長手方向溝と支持面とが一体部材として構成されている。
2008534183.tif 000002
【特許請求の範囲】
【請求項１】
歯の補綴具に結合されるべき雌型部材（２５，６５，１２５，１２５´）と、
自然歯またはインプラント（９０）に固定可能であり、かつ隣接部（１１，１１´、１１´´，５１，５１´１１１，１１１´）を含む雄型部材（１０，１０´，１０´´、５０，５０´，１１０，１１０´）とを有する歯冠外アッタチメントにおいて、
長手方向両側面の各隣接部には、雌型部材の対応長手方向リブ（３０，１３０´）または長手方向溝（１３０）が係合して形状接続を形成する少なくとも一つの長手方向溝（２０，１２０´）または長手方向リブ（１２０）と、雌型部材の支持面（１３１，１３１´）が載置される、咬合側に向いた少なくとも一つの支承面（２０，１２１，１２１´）とが含まれ、
前記雌型部材にはハウジングが含まれ、該ハウジングが、雌型部材の長手方向リブ（３０，１３０´）または長手方向溝（１３０）および支持面（１３１，１３１´）と一体形成されていることを特徴とする歯冠外アッタチメント。
【請求項２】
雄型部材（１０，１０´，１０´´、５０，５０´）の前記支承面が支承溝または支承リブとして構成され、これらが、雄型部材の二つの長手方向溝または長手方向リブと一緒に安定化溝（２０）または安定化リブを形成し、該溝またはリブが隣接部（１１，１１´，１１´´，５１，５１´）の一方の長手方向側面（２１ａ）から、隣接部の咬合側（２１ｂ）を経て、隣接部の他方の長手方向側面（２１ｃ）まで延在しており、
雌型部材の前記支持面が支持リブまたは支持溝として構成され、該リブまたは溝が前記支承溝または支承溝と互いに形状接続され、また
該リブまたは溝が、好ましくは、雌型部材（２５，６５）の二つの長手溝または長手リブと共に安定化リブ（３０）または安定化溝を形成し、
前記安定化リブが、雌型部材の一方の長手方向側面（３１ａ）から、雌型部材の咬合側を経て、雌型部材の他方の長手方向側面（３１ｃ）まで延在している請求項１に記載された歯冠外アッタチメント。
【請求項３】
前記安定化溝（２０）と安定化リブ（３０）とが丸形断面を有し、該丸形断面が安定化溝または安定化リブに沿って事実上一定である請求項２に記載された歯冠外アッタチメント。
【請求項４】
前記雄型部材（１１０´）の前記長手方向溝（１２０´）または雌型部材が段状に構成され、これによって支承面（１２１´）が形成され、および／または雄型部材（１２０）の隣接部（１１１）の上側が支承面（１２１）を形成している請求項１に記載された歯冠外アッタチメント。
【請求項５】
好ましくは咬合側に雄型部材（５０，５０´）上に載せられる着座面（７６）を含む摩擦部材（３５，７５）が、雄型部材（１０，１０´，１０´´、５０，５０´，１１０，１１０´）と雌型部材（２５，６５，１２５，１２５´）との間に配置される請求項１から請求項４までのいずれか１項に記載された歯冠外アッタチメント。
【請求項６】
前記ハウジングが、雄型部材（１０，１０´，１０´´、５０，５０´，１１０，１１０´）の頭部（１３，５３）を収容する空所（２６，６６）を含む請求項１から請求項５までのいずれか１項に記載されたアッタチメント。
【請求項７】
前記隣接部（５１´）が、インプラント（９０）に固定するための少なくとも一つの穴（８６）を有する丸形の頭部を含む請求項１から請求項６までのいずれか１項に記載された歯冠外アッタチメント。
【請求項８】
前記雄型部材（１０，１０´，１０´´、５０，５０´，１１０，１１０´）が、鋳造に適したロストワックス材料製であり、および／または
前記隣接部（１１，１１´，１１´´，５１，５１´）が、雄型部材を歯またはインプラントに付加鋳造、付加鑞接、付加レーザー処理、接着、ねじ付けのいずれかによって固定するための隣接面（３８−４２）を含む請求項１から請求項７までのいずれか１項に記載された歯冠外アッタチメント。
【請求項９】
前記ハウジングが、長手方向リブ（３０，１３０´）または長手方向溝（１３０）の設けられている側で閉じられる請求項１から請求項８までのいずれか１項に記載された歯冠外アッタチメント。
【請求項１０】
前記雄型部材（１０，１０´，１０´´，５０，５０´，１１０，１１０´）が頭部（１３，５３）を有し、かつ
雄型部材の前記長手方向溝（２０，１２０´）または長手方向リブ（１２０）の方向に延びる切断面（Ａ−Ａ）で切断された隣接部（１１，１１´，１１´´，５１，５１´，１１１，１１１´）の横断面部が、前記断面と平行な面で切断された頭部の横断面部より大である請求項１から請求項９までのいずれか１項に記載された歯冠外タッチメント。
【請求項１１】
前記雄型部材（１０，１０´，１０´´，５０，５０´，１１０，１１０´）および／またはハウジングが、基部側に斜面（５６，６９）を有する請求項１から請求項１０までのいずれか１項に記載された歯冠外アッタチメント。
【請求項１２】
雄型部材（１０，１０´，１０´´，５０，５０´，１１０´）または雌型部材（１２５）の前記長手方向溝（２０，１２０´，１３０）が、好ましくは事実上部分円形の丸形断面を有する請求項１から請求項１１までのいずれか１項に記載された歯冠外アッタチメント。
【請求項１３】
前記雄型部材（１０，１０´，１０´´，５０，５０´，１１０，１１０´）が歯のＣＡＤ／ＣＡＭ−システムによって製造される請求項１から請求項１２までのいずれか１項に記載された歯冠外アッタチメントの製造方法。
【請求項１４】
前記ＣＡＤ／ＣＡＭ−システムが、雄型部材（１０，１０´，１０´´，５０，５０´，１１０，１１０´）を歯冠、歯冠キャップ（９５）、ブリッジまたはブリッジ構造物と一体に製造するのに使用される請求項１３に記載された歯冠外アッタチメントの製造方法。
【発明の詳細な説明】
【技術分野】
【０００１】
本発明は、請求項１の前段部分に記載された歯冠外アッタチメント（付加物）および該アッタチメントを製造する方法に関するものである。
【背景技術】
【０００２】
多くの異なる種類のアッタチメントが公知であるが、概して、歯冠内アッタチメントでは、雄型部分が自然歯またはインプラント内に固定され、歯冠外アッタチメントの場合には、本願のように、雄型部分が自然歯またはインプラントに固定されるという違いがある。歯冠内アッタチメントと異なり、歯冠外アッタチメントを用いると、歯の解剖学的形状またはインプラントの外径が増大する。歯冠外アッタチメントは、この場合、自然歯への侵襲性を最小にする任意選択肢をなしている。
前記種類の歯冠外アッタチメントは、本出願人による、例えば特許明細書ＥＰ−０２９８９０１−Ｂ１およびＥＰ−０６５９０６３−Ｂ１に開示されている。これらのアッタチメントの利点の一つは、ターンとも呼ばれる鋳造被着によってアッタチメントに結合されるスタビライザが不要なことである。しかし、アッタチメントに加わる過度に高い応力は、歯またはインプラントの歯冠と、歯の補綴物との間に望ましくない相対運動を生じさせ、最悪の場合には、雄型部材の破壊に至ることもある。
【０００３】
特許出願ＤＥ−１９６１９７８６−Ａ１に開示された前記種類の別のアッタチメントでは、雄型部材と雌型部材とが互いに嵌め合わされ、ねじり固定される。回転運動を吸収するために、歯の補綴物は弓形の剪断力散逸アームを骨格状補強部材の一体部分として含む。この剪断力散逸アームは、雄型部材と雌型部材との別の部材として設計され、Ｖ字形切欠きに係止される。この切欠きは、比較的製造が難しく、また工業規模での再生産はいっそう難しい。更に、付加的な剪断力散逸アームを備えることにより、結果として比較的複雑な構造が生じ、これによって、歯の補綴物は製造が難しく費用のかかるものとなる。
【発明の開示】
【発明が解決しようとする課題】
【０００４】
このような先行技術から出発して、本発明が目的とすることは、前記欠点を除去し、前記種類のアッタチメントを改良することによって、剪断力散逸アームを付加する必要なしに、より大きい応力負荷を支持できるようにすることである。
【課題を解決するための手段】
【０００５】
この目的を達成するアッタチメントが、請求項１に記載されている。その他の請求項には、本発明によるアッタチメントの好適形態と、該アッタチメントを製造する方法が記載されている。
以下、図面を見ながら本発明の好適例について説明する。
【実施例】
【０００６】
実施例１
図１および図２から判るように、雄型部材１０には、例えば歯冠に固定（鑞接）でき、かつウエブ１２を介して頭部１３に結合された隣接部１１が含まれている。隣接部１１の二つの長手方向側面２１ａ，２１ｃの各々に長手溝を備え、該二つの長手溝が、雌型部材の挿入方向に延び、咬合面上で互いに接続され、咬合支承面を形成する。安定化溝２０が、これによって形成される。安定化溝２０は、隣接部１１の長手方向側面２１ａから、上側、すなわち咬合側２１ｂを経て、隣接部１１の他方の長手方向側面２１ｃまで延在している。
図１のＡ−Ａ線に沿った断面では、安定化溝２０が、事実上Ｕ字形輪郭を有し、丸い横断面を有しており、この丸い横断面は、好ましくは安定化溝２０に沿って事実上一定であるのが好ましい。安定化溝２０の横断面は、事実上部分円形であるのが好ましく、その弧の長さは円周の半分未満である。ウエブ１２の両側に位置する隣接部１１の平らな側は、雌型部材２５のための付加的な当接面１４を形成している。
【０００７】
頭部１３は事実上円筒形であり、ウエブ１２と頭部１３とは咬合側に斜面１５を有する。図１に示されているように、頭部１３の直径とウエブ１２の厚さとは、隣接部１１の厚さ未満である。Ａ−Ａ線に沿った断面での隣接部１１の断面積は、したがって、Ａ−Ａ線断面と平行に延びる、ウエブ１２または頭部１３の断面積より大である。
【０００８】
図３〜図５には、歯の補綴物に結合される雌型部材２５が示されている。この雌型部材は、前側と下側が開いたハウジングとして構成されている。このハウジングは、長手方向側面３１ａ，３１ｃ、すなわち頬側または唇側が閉じられ、かつ舌側または口蓋側が閉じられていることで、安定的な形状を形成している。ハウジングの咬合側３１ｂと後ろ側も閉じられている。雌型部材２５は、空所２６を有し、空所の形状は、頭部１３、ウエブ１２、当接面１４、安定化溝２０の各表面と事実上相補的な面によって画成されている。特に、雌型部材は、当接面２７を含み、前端には安定化リブ３０を含んでいる。該安定化リブは、雌型部材２５の一方の長手方向側面３１ａから咬合側３１ｂを経て他方の長手方向側面３１ｃまで延在している。
とくに図３から判るように、安定化リブ３０は、安定化溝２０と同様に、Ｕ字形輪郭を有する。雄型部材１０と雌型部材２５とが互いに結合されると、安定化リブ３０が安定化溝２０に係合して、確実な連結が行なわれる。
【０００９】
図６および図７に見られるように、摩擦部材３５は、事実上、延長部３６を有する横方向に開いた管状スリーブとして構成されている。摩擦部材３５は、プラスチック製で、雄型部材１０と雌型部材２５との相互作用時に公差の補償を可能にする。摩擦部材３５は、またアッタチメントに応力負荷が加わった場合に、減衰効果を発揮する。更に、摩擦部材３５の厚さを適宜に選択することによって、雌型部材２５を雄型部材１０から分離して、補綴物を除去するのに要する力の調節が可能になる。アッタチメントを動かす方法は、例えば特許出願ＥＰ−０６５９０６３−Ｂ１に開示されている。
【００１０】
図９および図１０から判るように、アッタチメントが一緒に結合されると、雌型部材２５は、その安定化リブ３０が安定化溝２０と係合し、当接面１４，２７が互いに対向する。摩擦部材３５は、頭部１３を取り囲み、延長部３６がウエブ１２に当て付けられる。
雄型部材１０と雌型部材２５との寸法公差は、応力が加わらない状態では、雌型部材２５が安定化溝２０に支持され、ウエブ１２または頭部１３には支持されないように選択されている。
図１および図２に示された雄型部材１０の隣接部１１は隣接凹面３８を備え、該凹面は、例えば鑞接で歯冠に結合させることができる。
【００１１】
実施例２、３
図１１〜図１４には、雄型部材の二つの変形例１０´、１０´´が示されている。これらの変形例は、例えば鋳造またはレーザー処理によって歯冠に結合される。図１１〜図１４には、図１および図２の部材に対応する部材が、同じい符記号で示されている。雄型部材１０´，１０´´は、雌型部材２５および摩擦部材３５と共に用いて、アッタチメントを形成できる。
図１１および図１２から判るように、鋳造被着がなされる雄型部材１０´の隣接部１１´は、端面に二つの長手方向スロット４０を有する凹状の隣接面３９を有する。
図１３および図１４から判るように、レーザー処理で結合可能な雄型部材１０´´の隣接部１１´´は、端面に平坦な隣接面４１を含み、該隣接面が、事実上Ｕ字形の縁斜面４２に隣接している。
【００１２】
実施例４
本発明によるアッタチメントの別の実施例が図１５〜図２９に示されている。図１５〜図１８に示されている雄型部材５０は、雄型部材１０´とは、頭部５３の咬合領域５５とウエブ５２とが丸い外面を有する点で大きく異なっている。頭部５３とウエブ５２とは、雄型部材５０の下部領域、すなわち基部領域がオメガ形の断面を有する。頭部５３の咬合領域５５は、事実上球形を有する。ウエブ５２は、丸形横断面の溝形状を有し、この溝が、事実上Ｕ字形で、ウエブ５２の一方の長手方向側面から、咬合側を経て、ウエブ５２の他方の長手方向側面まで延在している。安定化溝２０および安定化リブ３０の丸形構成に加えて、ウエブ５３と咬合領域での頭部５３との丸形構成も、補綴物の嵌め合いを容易にする。更に、ウエブ５２と頭部５３の丸形構成は、摩擦部材５７の損傷の危険性を低減化する。
【００１３】
図１７から判るように、雄型部材５０の底面５６は斜面をなし、雄型部材５０の中心へ向って鈍角でテーパー形状になっている。雄型部材５０が口腔内に固定されると、斜面５６により、例えばデンタルフロスによる清掃が容易になる。
安定化溝２０を有する隣接部５１は、雄型部材１０´と似た構成を有する。特に、図１５から判るように、頭部５３の直径とウエブ５２の厚さとは、隣接部５１の厚さ未満なので、安定化溝２０の領域の横断面は、ウエブ５２と頭部５３との領域の横断面よりも大きい。
【００１４】
雄型部材５０は、鋳造によって固定するように設計されている。この目的のために、隣接部５１は、端面に設けたＵ字形の鋳造被着スロット５９と凹状隣接面５８とを有する。被着スロット５９は、隣接部５１の一方の長手方向側面から、咬合側を経て、隣接部５１の他方の長手方向側面まで延在している。図１１および図１２に示した二つの長手方向スロット４０を有する実施例と比較した場合の鋳造被着スロット５９の利点は、鋳造被着面が、隣接部５１の他の表面によって、より明確に画成され、それによって、より正確な鋳造が可能になる。咬合側にまで延びる鋳造被着スロット５８により、見た目のよさを高めることもできる。
隣接部５１は、端面のところを、所望の固定方法に応じて、図１、図１２、図１４に示すように構成することもできる。
【００１５】
図１９〜図２３に示す雌型部材６５は、前側と下側とが開いたハウジングとして構成されている。この雌型部材５１は空所６６を有し、該空所内には、ウエブ５２と、頭部５３と、摩擦部材７５とを受容できる。空所６６に隣接して、雌型部材６５は、摩擦ねじ７４を受容するのに役立つ事実上円筒形の空所６７を有する。雌型部材６５の前端には安定化リブ３０が備えられ、該リブは、雌型部材６５の一方の長手方向側面から咬合側を経て他方の長手方向側面まで延在し、かつ雄型部材５０の安定化溝２０と係合可能である。
雌型部材６５は丸い外形を有するので、かどのある外径より体積が小さく、このため補綴物内で占める空間もより小さい。雌型部材６５の外側には、基部領域に凹部６８が設けられ、これらの凹部により、歯の補綴物内でのグリップが確実に改善されるため、雌型部材６５がプラスチック製補綴物から引き抜かれるのが防止される。雄型部材５０同様に、底面６９は雌型部材６５の中心に向って傾斜している。
【００１６】
図２４〜図２８には、摩擦部材７５として役立つプラスチック製インサートを種々の方向から見た図が示されている。この摩擦部材７５はハウジングとして構成され、その内面は、頭部５３およびウエブ５２の外面と事実上相補的である。したがって、摩擦部材７５は、上側、すなわち咬合側に、当接面７６を備え、アッタチメントが組み立てられた場合に、この当接面が頭部５３およびウエブ５２の上側に当て付けられる。摩擦部材７５の厚さは事実上一定である。摩擦部材７５の外面は、したがって、頭部５３およびウエブ５２と同様な、Ｕ字形溝７７と球形円蓋部７８とを有する。該円蓋部は突出部７９を有し、突出部には摩擦ねじ７４が作用できる。突出部７９は円錐形に構成してもよい。
【００１７】
摩擦部材７５は、少なくとも中央部に、長手方向のスリット８０を有するので、摩擦ねじ７４の動きに応じて拡張と縮小が可能であり、それにより雌型部材６５に対して対応する圧力を加えることができる。このため、アッタチメントの対応する動きが可能になる。摩擦部材７５は、長手方向スリット８０と平行な別のスリットを設けることができる。摩擦部材の簡略化した変形例として、摩擦部材を、図６〜図８に示すようなオメガ形断面を有する管状スリーブとして構成することもできる。
図２９は、組み立て済みのアッタチメントの斜視図であるが、雌型部材６５と摩擦部材７５とは断面で示してある。図に見られるように、安定化リブ３０が安定化溝２０に係合している。摩擦ねじ７４は、下側から、すなわち基部側から雌型部材７５の空所６７内へ挿入されている。摩擦ねじは円錐形ヘッド７４ａを有するので、ねじ操作によって突出部７９に作用する力を増減できる。
【００１８】
実施例５
図３０〜図３３には、雄型部材の別の実施例５０´が示されている。頭部５３、ウエブ５２、安定化溝２０は、第４実施例の雄型部材５０の各部と対応している。雌型部材と摩擦部材としては、雌型部材６５と摩擦部材７５とを使用できる。雄型部材５０´と、雌型部材６５と、摩擦部材７５（存在する場合）とが、インプラントに固定可能な歯冠外アッタチメントを形成する。
隣接部５１´は、インプラント９０に固定するための穴８６を有する丸い頭部８５を含んでいる。丸い頭部８５は、球形外面を有する。穴８６は、短冊形の貫通穴の形式を有する。
【００１９】
図３４〜図３７に示された雄型部材５０´は、ねじ８９により柱状インプラント９０に固定されている。短冊穴８６は一定の遊びを有するため、雄型部材５０´とインプラント軸線との間の角度を限定された範囲内で調節可能である。
インプラント９０には別の部材を取り付けることもできる。例えば、バーを取り付けて、バーとアッタチメントとを有する保持器を形成し、該保持器に自由端ブリッジ（いわゆる延長橋義歯）を固定することができる。例えば国際特許出願ＷＯ  ０２／０６２２５７  Ａ１には、種々の可能なバー構成が記載されている。
【００２０】
実施例６
図３８〜図４２に示した実施例は、雄型部材の隣接部１１１と雌型部材１２５の対応領域とが第１実施例とは別の設計になっている点で、第１実施例とは大きく異なっている。図１〜図１０に示した部材と等しい部材には、等しい符号が付されている。特に図３８と図４２から判るように、隣接部１１１は、両長手方向側面に各々長手方向リブ１２０を含み、雌型部材１２５の対応長手溝１３０にリブ１２０が係合して、形状接続が形成されている。長手方向リブ１２０と長手方向溝１３０とは雌型部材１２５の挿入方向に延び、各々が丸形の横断面を有する。長手方向リブ１２０に隣接して、上側の隣接部１１１は咬合側に向いた支承面１２１を含み、該支承面上には雌型部材１２５の支持面１３１が支えられる。支承面１２１と支持面１３１とは平らな面である。
【００２１】
実施例７
図４３〜図４６に示した実施例は、雄型部材１１０´の隣接部１１１´と雌型部材１２５´の対応領域とが第１実施例とは別の設計になっているので、第１実施例とは大幅に異なっている。図１〜図１０に示した部材と等しい部材には、等しい符号が付されている。隣接部１１１´は両側に長手方向溝１２０´を含み、該溝は、隣接部１１１´の下端の手前で終わっている。各側に、この結果、咬合側に向いた支承面１２１´をとなる段状部が形成される。雌型部材１２５´は二つの長手方向リブ１３０´を含み、該リブが、対応長手方向溝１２０´と係合する。長手方向の溝１２０´とリブ１３０´とは、それぞれ丸い横断面を有する。長手方向リブ１３０´の下側は支持面１３１´を形成し、該支持面が支承面１２１´に載置される。支承面１２１´と支持面１３１´とは平らな面である。
【００２２】
以上に開示したアッタチメントの利点は次の通りである。
雌型部材は、長手方向リブ／溝および連続的な安定化溝／リブにより、横方向に保持され、咬合側が支持される結果、剛性結合が生じ、頬／唇および舌／口蓋の動作に加えて、咬合側にも、この剛性結合が作用する。これによって、雄型部材と雌型部材との結合が改善され、特にその結果、大きなねじり力が作用しても、雄型部材と雌型部材間の相対運動が生じることがない。特に、咬合方向の支持により、雌型部材と雄型部材の相互傾斜を生じさせがちな傾斜運動が確実に吸収できる。雄型部材と雌型部材との結合の改善により、例えばＤＥ  １９６  １９  ７８６  Ａ１に開示されたような付加的な剪断力散逸アームが不要になる。雌型部材は、剪断力散逸アームの機能を果たすように設計されている。
【００２３】
この結合は、隣接部のところで、つまり雄型部材の最大横断面を有する部分で行われるように構成されている。雌型部材は、したがって雄型部材の最大断面領域で支持されることができ、他方、頭部とウエブの応力負荷は低減される。これによって、アッタチメント部材の磨耗も低減され、雄型部材の破壊強さが増す。このアッタチメントの荷重支承能力の増大は、また雌型部材が隣接部に支持されるため歯冠またはインプラントの直近に位置する結果、雄型部材へのてこ作用が最小化されるためでもある。
長手方向溝／リブおよび安定化溝／リブが丸形に構成されていることで、一方では、補綴物の挿入が容易になり、他方では、結合が容易になり、かつ例えばＤＥ−１９６１９７８６−Ａ１に記載されている結合よりも正確に再現可能になる。
【００２４】
雄型部材１０，１０´，１０´´，５０，５０´，１１０，１１０´および雌型部材２５，６５，１２５，１２５´は、プレハブ式に製造でき、その目的で、これらの部材は口内耐久性のある材料で作られる。これらの材料の例としては、チタン、貴金属等の金属、特に自硬化貴金属合金、ステンレス鋼、セラミック、プラスチック、ガラス繊維強化母材が挙げられる。雌型部材２５，６５，１２５，１２５´のみをプレハブ式にして、雄型部材１０，１０´，１０´´，５０，５０´，１１０，１１０´は、ロストワックス用プラスチック材料製として、口内で使用する雄型部材を鋳造で製造できる。
雄型部材１０，１０´，１０´´，５０，５０´，１１０，１１０´は、また歯のＣＡＤ／ＣＡＭシステム（Ｃｏｍｐｕｔｅｒ  Ａｉｄｅｄ  Ｄｅｓｉｇｎ／Ｃｏｍｐｕｔｅｒ  Ａｉｄｅｄ  Ｍａｎｕｆａｃｔｕｒｉｎｇ−Ｓｙｓｔｅｍ）を用いた製造にも適する。特に、丸い外表面を有する第４および第５の実施例による雄型部材５０，５０´は、その種の製造形式に適する。
【００２５】
歯のＣＡＤ／ＣＡＭシステムには、患者の口腔内の単数または複数の残存歯その他の領域の幾何形状を記録でき、対応するデジタルデータを生成可能なスキャナと、製造すべき対象をスキャンされたデータに基づいてソフトウエア・モデルにできるソフトウエア付きコンピュータ（ＣＡＤ−領域）と、ソフトウエア・モデルに基づいて対象を製造するコンピュータ制御式装置（ＣＡＭ−領域）とが含まれている。スキャニングは、直接に患者に対し、または印象から作られたモデルに対して行うことができる。この装置に使用可能な種々の生成的な製造方法が知られている。
チップ−成形法：例えば切削および／または旋削および／または研削（工作物ブランクから材料除去によって目的物を製造する）。
ワックスによる印象（熱可塑性滴材により目的物を形成する）。
ステレオ・リソグラフィ（レーザービームによる液相の重合）。
焼結：特にレーザーによる焼結（粉体の融解と凝固）。
ガルバニック・コーティング。
３Ｄ−プリント法（結合材による粉体の凝固）。
【００２６】
歯のＣＡＤ／ＣＡＭシステムは、基礎材料から、歯冠、歯冠キャップ、ブリッジ、ブリッジ構造物のいずれかと一体の雄型部材を製造するのに有効に使用できる。図４７は、歯冠キャップ９５と、頭部５３・ウエブ５２・安定化溝２０を有する雄型部材との一体部材の例を示している。雌型部材６５と摩擦部材−すなわち閉鎖形状またはオメガ字形状の管状スリーブ７５または３５−とは、アッタチメントの形成に使用するのに理想的である。
セラミック、チタン、金属、プラスチックガラス繊維強化母材のいずれかでの製造は、ＣＡＤ／ＣＡＭシステムの製造方法に従って行うことができる。セラミックでの製造の場合の利点は、従来の雄型部材の場合、例えば歯石や研磨剤を包含するために生じる摩耗が、事実上防止される点である。
【００２７】
製造すべき形状に相応のデータの入力を容易にするために、図４８に示した雄型部材に似た基本形式の雄型部材５０´´のデータが、歯のＣＡＤ／ＣＡＭシステムのソフトウエア−ライブラリに記憶される。この基本形式５０´´は、頭部５３と、ウエブ５２と、一定形状の安定化溝２０と、安定化溝に隣接し、ソフトウエアにより位置決めおよび／または調節可能な位置決め部９６とを含んでいる。例えば、図４７に示した部材を製造するには、残存歯の幾何形状がスキャンされ、歯冠キャップが、スキャンされた残存歯に基づいてソフトウエアによりモデル化され、図４８による雄型部材の基本形状５０´´が、ソフトウエア−ライブラリからロードされて、位置決め部材９６が、歯肉上方の適正な高さに、歯槽縁に沿った適正な角度で、補綴物の挿入方向に配置されるように位置決めされ、必要な場合にはソフトウエアによりモデル化される。次いで、コンピュータは、ソフトウエア・モデルからＣＡＤ−データファイルをコンパイルして装置を制御し、装置が歯冠キャップ６５と一体に雄型部材を製造する。この例と等しい形式で、歯冠キャップの代わりに、歯冠、ブリッジ、ブリッジ構造物も、雄型部材と一体に製造できる。
【００２８】
基本形状５０´´は、必要とあれば、共通の工業用ＣＡＤシステムに適応させ個別化することができ、最終的には、歯のＣＡＤ／ＣＡＭシステムのソフトウエア・ライブラリに組み込むことができる。
以上に説明した実施例から、当業者は、特許請求の範囲に記載された本発明の枠を逸脱することなしに、数多くの変更態様を得ることができよう。
【００２９】
例えば、雄型部材１０の隣接部１１の隣接面は、雄型部材を自然歯またはインプラントに接着剤接合できるように構成できる。この変形例と一緒に、雄型部材１０，１０´，１０´´，５０，５０´，１１０，１１０´は、一つの雄型部材装置を形成し、この装置には、現在最も重要な結合方法および加工方法が網羅されている。すなわち、雄型部材のロストワックス鋳造、プレハブ式雄型部材の鋳造による装着、鑞接による装着、レーザーによる装着、位相合わせ接合（電気スポット溶接）、接着剤接合のいずれか、歯冠、歯冠キャップ、ブリッジまたはブリッジ構造物と一緒のＣＡＤ／ＣＡＭ方式による製造、インプラントへの直接ねじ付け等。雌型部材２５，６５，１２５，１２５´は、加工のどの変形例の場合にも、対応幾何形状に構成することにより、同時的に使用するのが理想的である。
【００３０】
第１実施例の場合、摩擦部材７５の突出部７９のような突出部を有するねじ動作式の摩擦部材を、摩擦部材３５の代わりに使用することもできる。第４実施例の場合には、摩擦部材７５の突出部７９、雌型部材６５の空所６７、摩擦ねじ７４を除去し、その代わりに、摩擦部材７５の厚さを相応に選択することによってアッタチメントの動作を実現することも可能である。拘束的な保持力を得るために、摩擦部材３５または７５の内側に隆起部を設けて、この隆起部が、組み立て時に雄型部材の対応スロットにスナップ嵌入するようにできる。
雌型部材２５，６５，１２５，１２５´と雄型部材１０，１０´，１０´´，５０，５０´，１１０，１１０´とを一緒にボルト止めするために、ボルト機構を備えるか、または該部材を一緒にねじ止めするために、ねじ機構を備えることも可能である。雌型部材２５，６５，１２５，１２５´の形状は、雄型部材１０，１０´，１０´´，５０，５０´，１１０，１１０´に適合させることができ、その場合には、摩擦部材３５，７５は不要となる。
【００３１】
一般的にいって、雌型部材２５，６５，１２５，１２５´を変更して、例えば、雄型部材１０，１０´，１０´´，５０，５０´，１１０，１１０´との種々の結合機能（摩擦式、拘束式、ねじ止め式、ボルト止め式、関節式等）を満たすことで、一つの雌型部材システムを形成することも可能である。
また、雄型部材１０，１０´，１０´´，５０，５０´に安定化リブを備え、雌型部材２５，６５，１２５，１２５´に安定化溝を備えるようにすることもでき、および／または雄型部材１０，１０´，１０´´，５０，５０´と雌型部材２５，６５とに、それぞれ一方の長手方向側面から咬合側を経て他方の長手方向側面まで延在しる二つ以上の安定化溝またはリブを設けることもできる。
第６と第７の実施例の場合には、長手方向のリブ１２０，１３０´を長手方向溝として、長手方向身溝１３０，１２０´を対応する長手方向リブとして構成でき、および／または雄型部材１１０，１１０´と雌型部材１２５，１２５´とに三つ以上の長手方向溝またはリブを備えるようにすることも可能である。
【図面の簡単な説明】
【００３２】
【図１】本発明によるアッタチメントの雄型部材第１実施例の平面図（実施例１）。
【図２】図１に示した雄型部材の側面図。
【図３】本発明によるアッタチメントの雌型部材第１実施例の前面図。
【図４】図３に示した雌型部材の側面図。
【図５】図３の雌型部材を基部側から見た斜視図。
【図６】本発明によるアッタチメント第１実施例の摩擦部材の平面図。
【図７】図６の摩擦部材の側面図。
【図８】図６の摩擦部材を上方から見た斜視図。
【図９】第１実施例による組み立て済みアッタチメントをＩＸ−ＩＸに沿って切断した断面図。
【図１０】第１実施例の組み立て済みアッタチメントの斜視部分断面図。
【図１１】本発明によるアタッチメント第２実施例の雄型部材の平面図（実施例２）。
【図１２】図１１に示した雄型部材の斜視図。
【図１３】本発明によるアッタチメント第３実施例の雄型部材の平面図（実施例３）。
【図１４】図１３の雄型部材の斜視図。
【図１５】本発明によるアッタチメント第４実施例の雄型部材の平面図（実施例４）。
【図１６】図１５の雄型部材の側面図。
【図１７】図１５の雄型部材の前面図。
【図１８】図１５の雄型部材の斜視図。
【図１９】本発明によるアッタチメント第４実施例の雌型部材を下方から見た図。
【図２０】図１９の雌型部材の前面図。
【図２１】図１９の雌型部材の側面図。
【図２２】図１９の雌型部材を基部側から見た斜視図。
【図２３】図１９の雌型部材を上方から見た斜視図。
【図２４】本発明によるアッタチメント第４実施例の摩擦部材の平面図。
【図２５】図２４の摩擦部材の側面図。
【図２６】図２４の摩擦部材の前面図。
【図２７】図２４の摩擦部材を上方から見た斜視図。
【図２８】図２４の摩擦部材を基部側から見た斜視図。
【図２９】第４実施例によるアッタチメントを組み立てた状態で示す斜視部分断面図。
【図３０】本発明によるアッタチメント第５実施例の雄型部材の側面図（実施例５）。
【図３１】図３０の雄型部材の側断面図。
【図３２】図３０の雄型部材の平面図。
【図３３】図３０の雄型部材の斜視図。
【図３４】図３０の雄型部材を取り付けたインプラントの側面図。
【図３５】図３４の構成体の側断面図。
【図３６】図３４の構成体の平面図。
【図３７】図３４の構成体の斜視図。
【図３８】本発明によるアッタチメント第６実施例を下方から見た図（実施例６）。
【図３９】図３８のアッタチメントの側面図。
【図４０】図３８のアッタチメントを上方から見た斜視図。
【図４１】図３８のアッタチメントを下方から見た斜視図。
【図４２】雌型部材と摩擦部材とを断面で示した図４０同様の図。
【図４３】本発明によるアッタチメント第７実施例の平面図（実施例７）。
【図４４】図４３のアッタチメントの側面図。
【図４５】図４３のアッタチメントの斜視図。
【図４６】雌型部材と摩擦部材とを断面で示した図４５同様の図。
【図４７】本発明によるアッタチメントの雄型部材を有する歯冠の斜視図。
【図４８】ソフトウエアによるモデル化用の雄型部材の基本形状を示す斜視図。
【図１】
2008534183.tif 000003
【図２】
2008534183.tif 000004
【図３】
2008534183.tif 000005
【図４】
2008534183.tif 000006
【図５】
2008534183.tif 000007
【図６】
2008534183.tif 000008
【図７】
2008534183.tif 000009
【図８】
2008534183.tif 000010
【図９】
2008534183.tif 000011
【図１０】
2008534183.tif 000012
【図１１】
2008534183.tif 000013
【図１２】
2008534183.tif 000014
【図１３】
2008534183.tif 000015
【図１４】
2008534183.tif 000016
【図１５】
2008534183.tif 000017
【図１６】
2008534183.tif 000018
【図１７】
2008534183.tif 000019
【図１８】
2008534183.tif 000020
【図１９】
2008534183.tif 000021
【図２０】
2008534183.tif 000022
【図２１】
2008534183.tif 000023
【図２２】
2008534183.tif 000024
【図２３】
2008534183.tif 000025
【図２４】
2008534183.tif 000026
【図２５】
2008534183.tif 000027
【図２６】
2008534183.tif 000028
【図２７】
2008534183.tif 000029
【図２８】
2008534183.tif 000030
【図２９】
2008534183.tif 000031
【図３０】
2008534183.tif 000032
【図３１】
2008534183.tif 000033
【図３２】
2008534183.tif 000034
【図３３】
2008534183.tif 000035
【図３４】
2008534183.tif 000036
【図３５】
2008534183.tif 000037
【図３６】
2008534183.tif 000038
【図３７】
2008534183.tif 000039
【図３８】
2008534183.tif 000040
【図３９】
2008534183.tif 000041
【図４０】
2008534183.tif 000042
【図４１】
2008534183.tif 000043
【図４２】
2008534183.tif 000044
【図４３】
2008534183.tif 000045
【図４４】
2008534183.tif 000046
【図４５】
2008534183.tif 000047
【図４６】
2008534183.tif 000048
【図４７】
2008534183.tif 000049
【図４８】
2008534183.tif 000050
【国際調査報告】
2008534183.tif 000051
2008534183.tif 000052
2008534183.tif 000053
2008534183.tif 000054
2008534183.tif 000055
2008534183.tif 000056
2008534183.tif 000057
2008534183.tif 000058